(57)【要約】【課題】  着用の快適性などが向上した電池駆動式の腕時計を提供する。【解決手段】  本発明に係る電池によって駆動される腕時計は、腕時計ケース（８）と、２つのストラップ部（６、７）と、クラスプとを備え、電池を備える電池ハウジング（１５）は、クラスプ内に搭載されている。ストラップ部（７）のうちの一方は、パワー伝送用ワイヤを備える。電池ハウジング（１５）は、パワー信号の伝達を可能にする第１のカップリング（１６）によってパワー伝送用ストラップ部（７）につながっている。同様に、パワー伝送用ストラップ部（７）は、電池から腕時計ケースへのパワー信号の伝達を可能にする第２のカップリング（１７）によって腕時計ケース（８）につながっている。特定の実施形態は、折って一緒にすることができるクラスプ部（１、２、２０、２１）を備えるデプロイ可能なクラスプを備えた腕時計に関連しており、電池ハウジング（１５）は、クラスプ部のうちの１つに取り付けられる。【選択図】  図３ｂ
2020153970.tif 000002
【特許請求の範囲】
【請求項１】
腕時計ケース（８）と、前記腕時計ケースの両側につながれる第１のストラップ部（６）と第２のストラップ部（７）と、及び着用者の手首のまわりにて前記第１のストラップ部と前記第２のストラップ部を閉じるためのクラスプとを備えた電池式腕時計であって、
前記腕時計ケース（８）にパワー供給するための電池を収容する電池ハウジング（１５）を備え、
前記電池ハウジング（１５）は、前記クラスプの内側に搭載され、
前記ストラップ部のうちの一方のストラップ部は、パワー伝送用ワイヤを備えるパワー伝送用ストラップ部（７）であり、
前記電池ハウジング（１５）は、第１のパワー伝送カップリング（１６）によって前記パワー伝送用ストラップ部（７）につながっており、
前記第１のパワー伝送カップリング（１６）は、前記パワー伝送用ストラップ部（７）を介する前記腕時計ケース（８）へのパワー伝送を可能にし、
前記パワー伝送用ストラップ部（７）は、第２のパワー伝送カップリング（１７）によって前記腕時計ケース（８）につながる
ことを特徴とする腕時計。
【請求項２】
前記クラスプは、前記第1及び第２のストラップ部（６、７）の先端部の間に取り付けられたデプロイ可能なクラスプであり、
前記クラスプは、第１及び第２の曲がったクラスプ部（１、２、２０、２１）を備え、
前記第１及び第２の曲がったクラスプ部どうしは、折れて一緒になることができるように回転可能であり、
前記クラスプは、さらに、前記クラスプ部が完全に折られたときに前記クラスプを着用者の手首のまわりに固定するための固定機構（２３、２４）を備え、
前記電池ハウジング（１５）は、前記第１又は第２のクラスプ部に取り付けられ、
前記電池ハウジング（１５）と前記パワー伝送用ストラップ部（７）の間の前記第１のパワー伝送カップリング（１６）は、回転可能なカップリングである
ことを特徴とする請求項１に記載の腕時計。
【請求項３】
前記クラスプ部（２０、２１）は、フレーム要素であり、このフレーム要素は、このフレーム要素どうしが折られて一緒になっているときに前記電池ハウジング（１５）のまわりに配置されるような寸法を有しそのように構成している
ことを特徴とする請求項２に記載の腕時計。
【請求項４】
前記フレーム要素はそれぞれ、前記クラスプが閉じた状態にあるときに前記電池ハウジングの下側部分と上側部分のまわりに配置される
ことを特徴とする請求項３に記載の腕時計。
【請求項５】
前記電池ハウジング（１５）は、自身が取り付けられているクラスプ部（２、２１）と実質的に同じ曲率を有するように曲がっている
ことを特徴とする請求項２〜４のいずれか一項に記載の腕時計。
【請求項６】
前記第１のパワー伝送カップリング（１６）は、断面が環状である円筒状のロッド（２５）と、一対のばね作動接点（３４）と、及び中空の円筒状のブラケット（３０）とを備える回転可能なカップリングであり、
前記ロッド（２５）の側壁の一部は、不動であるようにのど部（２６）に取り付けられ、
前記ロッド（２５）には、前記ロッドの長手方向にて離間している丸まった接点（２７）と、及び前記のど部（２６）の近くにあり前記ロッド（２５）の一端から前記丸まった接点（２７）の両方を越えた箇所まで延在している絶縁性の細長材又は溝（２９）とがあり、
前記一対のばね作動接点（３４）は、前記一対の丸まった接点（２７）と同じ距離離間しており、
前記中空の円筒状のブラケット（３０）には、閉じた端（３１）と開いた端（３２）があり、
その閉じた端（３１）と開いた端（３２）の間の前記ブラケット（３０）の側壁に空欠部（３３）があり、
前記空欠部は、前記一対のばね作動接点（３４）を露出させるように構成しており、
前記開いた端（３２）には、間隙によって中断される環状の入口通路（３６）を形成するように構成しているブロック用ローブ（３５）があり、
前記間隙が前記のど部（２６）の挿入を可能にしつつ、前記入口通路が前記ロッド（２５）のブラケットへの軸方向の挿入を可能にするような寸法を有し、
前記のど部（２６）は、前記ロッド（２５）の前記ブラケット（３０）への挿入又は前記ブラケット（３０）からの取り外しが、前記絶縁性の細長材又は溝（２９）が前記ばね作動接点（３４）と整列する前記ロッドの角位置においてのみ可能となり他の角位置においては前記ロッドが前記ブラケット内に完全に挿入されているときに前記丸まった接点（２７）が前記ばね作動接点（３４）と接するように構成しており、
腕時計が着用者の手首のまわりに装着されているときには前記細長材又は溝（２９）が前記ばね作動接点と整列する角位置にすることができない
ことを特徴とする請求項１〜３のいずれか一項に記載の腕時計。
【請求項７】
前記回転可能なカップリング（１６）は、さらに、シールを備える
ことを特徴とする請求項６に記載の腕時計。
【請求項８】
前記のど部（２６）は、不動であるように電池ハウジング（１５）に取り付けられ、
前記ブラケット（３０）は、不動であるように前記パワー伝送用ストラップ部（７）の遠位端に取り付けられ、
前記ばね作動接点（３４）は、前記パワー伝送用ストラップ部（７）の前記遠位端に埋め込まれる
ことを特徴とする請求項６に記載の腕時計。
【請求項９】
前記パワー伝送用ストラップ部（７）と前記腕時計ケース（８）の間には、前記回転可能なカップリングと同じタイプの回転可能なカップリングが取り付けられている
ことを特徴とする請求項６又は７に記載の腕時計。
【請求項１０】
前記電池ハウジング（１５）は、曲がった直方体状の箱であることができる直方体状の箱の形を有する
ことを特徴とする請求項１〜３のいずれか一項に記載の腕時計。
【請求項１１】
前記電池ハウジング（１５）は、コンバーター回路、電池管理回路、充電回路及び充電インジケーターからなる群から選択される１つ又は複数の部品を備える
ことを特徴とする請求項１〜３のいずれか一項に記載の腕時計。
【請求項１２】
スマートウォッチである
ことを特徴とする請求項１〜３のいずれか一項に記載の腕時計。
【請求項１３】
前記電池ハウジング（１５）と前記フレーム要素（２０、２１）は、長方形状の形を有する
ことを特徴とする請求項１〜３のいずれか一項に記載の腕時計。
【発明の詳細な説明】
【技術分野】
【０００１】
本発明は、電池駆動式の腕時計に関し、主としてスマートウォッチタイプの腕時計に関するが、これに限定されない。
【背景技術】
【０００２】
スマートウォッチには、標準的な腕時計よりも大容量の電源が必要である。このため、電池の大きさが大きくなり、電池を腕時計に組み込むこと自体を難しくしてしまう。この課題に対して現在知られている手法においては、電源が手首ストラップに搭載され、その電源を標準的なプラグインコネクターによって腕時計ケースに接続することを伴うが、これでは、ストラップが固くなり、着用の快適性の点で問題が発生してしまう。
【発明の概要】
【発明が解決しようとする課題】
【０００３】
本発明は、上述した課題を解決する腕時計を提供することを目的とする。
【０００４】
この目的は、添付の請求の範囲に記載されているような腕時計によって達成される。本発明に係る電池駆動腕時計は、腕時計ケースと、２つのストラップ部と、及びクラスプとを備え、電池を備える電池ハウジングが前記クラスプの内側に搭載されている。ストラップ部のうちの一方（以下、パワー伝送用ストラップ部と呼ぶ）は、パワー伝送用ワイヤを備える。電池ハウジングは、パワー信号の伝達を可能にする第１のカップリングによってパワー伝送用ストラップ部につながっている。同様に、パワー伝送用ストラップ部は、電池から腕時計ケースへのパワー信号の伝達を可能にする第２のカップリングによって腕時計ケースにつながっている。
【０００５】
このクラスプは、当分野で知られている任意のタイプのクラスプであることができ、このようなクラスプの一部に電池ハウジングが取り付けられて付加されている。このようなクラスプ部への電池ハウジングの取り付けは、不動性の取り付けであることができる。すなわち、電池ハウジングは、クラスプ部に固定的に取り付けられたり、又はクラスプ部と一体化されたり、又はクラスプ部に対するハウジングの相対的な運動を可能にしつつクラスプ部に取り付けられたりすることができる。具体的には、電池ハウジングは、回転可能であるようにクラスプ部に取り付けられることができる。
【０００６】
特定の実施形態においては、互いに回転するように構成している第１及び第２のクラスプ部を有するデプロイ（展開）可能なクラスプを備える腕時計に関する。本発明によって、電池ハウジングは、２つのクラスプ部のうちの一方に取り付けられ、この電池ハウジングは、さらに、回転可能なパワー伝送カップリングによって、回転可能であるようにパワー伝送用ストラップ部につながっている。本発明の好ましい実施形態に係る腕時計におけるデプロイ可能なクラスプは、フレーム要素の形態であるクラスプ部を備え、そのクラスプ部の１つは、回転可能であるように電池ハウジングに取り付けられ、フレーム要素は、クラスプが閉じた状態にあるときに電池ハウジングのまわりに配置されるように構成している。
【０００７】
好ましい実施形態に係るパワー信号を伝達することができる回転可能なカップリングは、断面が環状であるロッド上に配置される丸まった接点を備える。このロッド自体は、このロッドに対する横方向からのど部に取り付けられる。回転可能なカップリングは、さらに、ばね作動接点を備えた中空の円筒状のブラケット及びブロック用ローブを備える。ブロック用ローブは、他の角位置においてロッドの取り外しをブロックしつつ、ロッド及びのど部をロッドの所定の角位置にてブラケット内に軸方向に挿入すること、そして、そこから取り外しすることができるように構成しており、これによって、容易に取り外し可能なカップリングを実現することができる。
【０００８】
本発明は、上記の従来技術の課題に対する解決策を提供する。電池ハウジングは、腕時計ケースの外側と腕時計ストラップの外側にある。好ましい実施形態において、電池ハウジングは容易に交換可能であり、これによって、電池の交換及び／又はストラップ部の交換を容易にすることができる。また、特定の実施形態によって、電池を充電するための手法を改善することが可能になる。
【図面の簡単な説明】
【０００９】
【図１】図１ａ及び１ｂは、当分野で知られている腕時計を閉じるためのデプロイ可能なクラスプの概念を示している。
【図２】図２ａ及び２ｂは、本発明の第１の実施形態に係る腕時計を示しており、電池ハウジングは、不動であるように、デプロイ可能なクラスプ部のうちの１つの表面に取り付けられている。
【図３ａ】図３ａは、第２の実施形態に係る腕時計を示しており、電池ハウジングが、回転可能であるようにクラスプ部に取り付けられており、このクラスプ部は、クラスプが閉じた状態のときに電池ハウジングのまわりに配置されるフレーム要素である。
【図３ｂ】図３ｂは、第２の実施形態に係る腕時計を示しており、電池ハウジングが、回転可能であるようにクラスプ部に取り付けられており、このクラスプ部は、クラスプが閉じた状態のときに電池ハウジングのまわりに配置されるフレーム要素である。
【図４】図４ａ及び４ｂは、図３ａ及び３ｂの実施形態で用いられる電池ハウジングの２つの異なる三次元図を示しており、本発明の一実施形態に係る回転可能なパワー伝送カップリングの一部を示している。図４ｃは、図４ａ及び４ｂに示している回転可能なカップリングの第２の部分を示している。
【図５】図５ａ及び５ｂは、図４ａ〜４ｃに示している回転可能なカップリングの組み立て及び固定を示している。
【図６】図６ａ及び６ｂは、図４及び５に示している回転可能なカップリングに用いられるばね作動接点の２つの可能な実施形態を示している。
【図７】図７ａは、図３ａ及び３ｂに示している腕時計を充電するための適切な充電デバイスを示している。図７ｂは、腕時計が充電デバイスにどのように取り付けられるかを示している。
【発明を実施するための形態】
【００１０】
本明細書で用いる用語のいくつかを定めるために、図１ａ及び１ｂに、デプロイ可能なクラスプを備える腕時計のよく知られている原理を示している。これらの図はそれぞれ、開状態及び閉状態における腕時計を示している。このクラスプは、中心ピボット３にて互いに回転可能であるようにつながっている２つの曲がったクラスプ部１及び２を備える。また、クラスプ部１及び２は、回転可能なカップリング４、５によって腕時計の２つのストラップ部６及び１１の対応する端に連結している。これらのストラップ部は、腕時計ケース８の反対側の端に対して、回転可能であることが好ましいカップリング９及び１０によってつながっている。図１ｂに示しているように、クラスプを閉じるためには、２つのクラスプ部１及び２を重なり合うように折り、閉じた状態で、クラスプ部１及び２を互いに固定するための固定機構を作動させる。この機構は、当分野でよく知られているため、図１の概略図には示していない。この機構は、スナップアクションクロージャー等であることができる。曲がったクラスプ部１及び２は、曲がったプレート要素であることができ、閉じた状態で、一方のプレート要素が他方のプレート要素上に配置される。代わりに、クラスプ部は、曲がったビーム又はフレーム要素であることができ、これは、折られて一緒になったときに一方の要素が他方の要素の中に嵌まり、また、クラスプが閉じているときにこれらの２つの要素が同じ曲がった曲面内にあるような形を有する。
【００１１】
図２ａ及び２ｂは、本発明の一実施形態に係る電池動作式腕時計を示している図である。図１ａ及び１ｂに示している構成要素のいくつかは、同じ参照符号を用いて示している。すなわち、クラスプ部１及び２、中央ピボット３、第１のストラップ部６、腕時計ケース８、及び回転可能な（回転可能であることが好ましい）カップリング４及び９である。クラスプ部１、２は曲がった板状要素であり、電池を備える電池ハウジング１５は、このハウジングをクラスプ部２の表面に溶接ないし接着することなどによって、第２のクラスプ部２の表面に取り付けられる。また、ハウジング１５は、クラスプ部２と一体化されていることができる。図示している実施形態において、ハウジング１５自体は、わずかに曲がっており取り付けられる曲がったクラスプ部２と同じ曲率を有する直方体状の箱（すなわち、長方形の底を有する角柱）の形を有する。本発明のいずれの実施形態においても、ハウジング１５は、電池を機械的負荷及び衝撃から保護するための適切な材料特性を有する材料によって形成される。これには種々の適切な金属又はプラスチック材料を用いることができる。代替実施形態において、電池ハウジングは、異なる形状、例えば、円形又は楕円形の底を有する角柱の形状、であることができる。
【００１２】
ハウジング１５は、回転可能なカップリング１６によって、第２のストラップ部７（以下、パワー伝送用ストラップ部７と呼ぶ）に回転可能であるように連結され、この回転可能なカップリング１６は、パワー伝送用ストラップ部７に搭載される電気ワイヤ（図示せず）を介する電池から腕時計ケース８へのパワー信号の伝達を可能にする。回転可能なカップリング１６の好ましい実施形態について、この文章でさらに説明する。パワー伝送用ストラップ部７と腕時計ケース８の間には、第２のパワー伝送カップリング１７が配置されている。これは、好ましくは、回転可能なカップリングであり、好ましくは、第１のカップリング１６と同じタイプである。図２ａ及び２ｂも概念図である。電池ハウジング１５及びクラスプ部１及び２の正確な形状は、着用者が感じる快適性を最大にするように最適化することができる。クラスプのクロージャーを固定するための固定機構については、図示していないが、当分野で知られている任意のシステムにしたがって実現することができる。
【００１３】
図３ａ及び３ｂに示している別の実施形態において、クラスプ部は、長方形のフレーム要素２０及び２１として形成され、この長方形のフレーム要素は、クラスプが閉じた状態であるときに電池ハウジング１５のまわりに配置される。図３ａに、開状態の腕時計を示している。電池ハウジングは、再び、矩形でありわずかに曲がった箱の形を有する。上述した構成要素の多くを再び認識することができる。すなわち、腕時計ケース８、第１のストラップ部６、パワー伝送用ストラップ部７、電池ハウジング１５、ピボット３、標準的な（すなわち、パワーを伝達しない）カップリング４、９、パワー伝送カップリング１６及び１７である。第１のクラスプ部２０は、前述の実施形態と同様に、回転可能であるように第１のストラップ部６に連結されている。第２のクラスプ部２１は、取り外し不能な回転可能なカップリング２２によって、回転可能であるように電池ハウジング１５に取り付けられている。また、これは、既知の任意のタイプの取り外し可能なカップリングであることができる。フレーム状のクラスプ部２０及び２１は、好ましくは、電池ハウジング１５と同じ曲率でわずかに曲がっており、電池ハウジング１５の周部のまわりに嵌まるような寸法を有する。
【００１４】
以下、図３ａ及び３ｂに示しているクラスプの機能について説明する。第２のクラスプ部２１は、着用者によってカップリング２２の軸を中心に回転され、この軸はハウジングの厚みのうちの下側に位置しており、これによって、第２のクラスプ部２１がハウジング１５上に折られるときに、第２のクラスプ部２１は、クラスプが閉じた状態であるときに前記下側を包囲する（図３ｂ参照）。このように第２のクラスプ部２１を折り畳むことによって、第１のクラスプ部２０はハウジングの厚みのうちの上側のまわりに位置するようになる。すなわち、電池ハウジング１５は、クラスプ部２０及び２１のそれぞれの内側に配置されるようになり、これらのクラスプ部２０及び２１はそれぞれ、ハウジングの曲がった表面に対して垂直な方向におけるハウジングの下端及び上端にてハウジングを包囲する。また、第２のクラスプ部２１は、さらに、スナップアクションクロージャー２３を備え、これは、カップリング２２が位置する辺と反対側の電池ハウジング１５の辺に位置するピン２４にスナップ嵌め合いするように構成している。クロージャー２３をピン２４にスナップ嵌め合いすることによって、クラスプが固定される。この実施形態の利点は、閉じた状態において、クラスプの厚みがハウジングの厚みと同じであり、これによって、上述した第１の実施形態と比較して、クラスプの設計を薄くすることができることである。
【００１５】
上述した実施形態のいずれにおいても、電池ハウジング１５とパワー伝送用ストラップ部７の間の回転可能なカップリング１６は、ハウジング１５内の電池から腕時計ケース８へのパワー信号の伝達を、パワー伝送用ストラップ部７に搭載されたパワー伝送用ワイヤを介して、そして、ストラップ部７と腕時計ケース８の間の第２のパワー伝送カップリング１７を通して、可能にするように構成していなければならない。好ましくは、第１及び第２のパワー伝送カップリング１６及び１７は、同じようにして作られる。この目的に適した回転可能なパワー伝送カップリングは、様々な方法で実際に用いることができ、可能性としては、当分野で知られている設計にしたがって実際に用いることができる。カップリング１６及び／又は１７を実現するためのこれまで知られていなかった機構を図３ａ及び３ｂに示している腕時計に適用する。これについて、図４及び５を参照しながら以下に詳細に説明する。この特定の実施形態の付加的な利点は、腕時計の着用者がこのカップリングの連結を解除することができ、ストラップ部６、７及び／又は電池ハウジング１５の交換が容易になることである。
【００１６】
図４ａ及び４ｂは、図３ａ及び３ｂの実施形態において用いられる電池ハウジング１５を異なる角度から見た別々の三次元図を示している。これらの図は、ハウジング１５とパワー伝送用ストラップ部７の間の回転可能なカップリング１６の一部を示している。断面が環状であるロッド２５が、ハウジング１５の短い辺の一方に取り付けられている。ロッド２５は、動かないように、のど部２６を介してハウジング１５に取り付けられる。ロッド２５及びのど部２６は、ハウジング１５と均質であることができる。ロッド２５には、２つの丸まった接点２７があり、これらの接点２７の曲率は、ロッドの外面の曲率と実質的に同じである。これらの接点２７は離間しており、ロッド２５の中央部分に対して対称に配置されることができる。ロッド２５及びのど部２６の内部には導電路が存在し、この導電路は接点２７を、直接電池の極に接続したり、まず電池ケースの回路に接続してから電池の極に接続したりする。
【００１７】
ロッド２５の下側では、溝２９がロッドの一端から両方の接点２７を通過するように形成されている。すなわち、２つの接点２７を超えた位置まで形成されている。代わりに、溝２９をロッド２５の全長にわたって形成することができる。丸まった接点２７は、ロッド２５の周部に沿って、溝２９からのど部２６の上側まで延在している。ロッド２５及びのど部２６は、金属によって形成することができ、この金属は、のど部とロッドがハウジング１５と均質である場合、電池ハウジングの材料と同じ金属であることができる。丸まった接点２７は、金めっきされた金属部分であることができ、また、曲がったフレキシブルな回路基材の部分であることができる。また、丸まった接点２７を導電性プラスチック材料によって形成することもできる。
【００１８】
図４ｃは、パワー伝送用ストラップ部７の遠位端に配置された回転可能なカップリング１６の第２の部分を示している。この第２の部分は、ストラップ部７の遠位端に取り付けられた中空の円筒状のブラケット３０を備える。ブラケット３０には、１つの閉じた端３１と１つの開いた端３２があり、ブラケットの側壁には空欠部３３がある。空欠部３３は、パワー伝送用ストラップ部７の遠位端の少なくとも一部を露出させ、この遠位端にて、２つのばね作動式の電気接点３４が一体化されており、これらはストラップ部７に搭載された導電体（図示せず）に接続される。空欠部３３は、円筒状のブラケット３０の長手方向において、ブラケットの閉じた端３１と、ブラケットの反対側にあるブロック用ローブ３５の間に形成されている。ブロック用ローブ３５は丸まっており、これによって、ロッド２５をブラケット３０の内部に軸方向に挿入するため、また、ブラケット３０の内部から軸方向に取り出すための丸まった入口通路３６を定める。ブロック用ローブ３５の遠位端とブラケット３０の側壁の間に間隙があることによって、のど部２６を通過させることが可能になる。
【００１９】
図５ａに、ロッド２５をブラケット３０内に挿入する様子を示している。のど部２６及びブロック用ローブ３５は、着用者の手首のまわりに腕時計が装着されていないときに、かつ、パワー伝送用ストラップ部７とハウジング１５の間の角度が固定された特定の１つの角度であるか又は非常に限定された範囲内であるときに、のど部２６がブロック用ローブ３５の端部とブラケット３０の側壁の間の隙間を通過することによってのみ挿入が可能であるように位置している。図５ａに示しているように、ストラップ部７は、この角度又はこの角度範囲内にあるときに、電池ハウジング１５の方へと実質的に完全に折り畳まれている。溝２９は、この角位置において、この溝２９がばね作動接点３４と整列するように構成している。溝２９の幅及び深さは、ロッド２５の挿入又は取り外しに必要な角位置において、ばね作動接点３４がいずれの導電性材料とも接しないように構成している。このようにして、ロッド２５の挿入又は取り外しの際の短絡を防止することができる。溝２９を電気的絶縁材料で充填することができ、あるいはその代わりに絶縁材料の細長材を用いることができる。ロッド２５がブラケット３０内に完全に挿入され、のど部２６がブロック用ローブ３５を通過したときに、ストラップ部７が折り戻されているようにすることができ、これによって、ユーザーが腕時計を装着したときに発生する角位置のいずれにおいても、ばね作動接点３４と丸まった接点２７の間の電気接点が確立されるようにすることができる。ブロック用ローブ３５は、のど部２６の軸方向の運動を防ぐことによって、これらの角位置においてカップリングが解放されることを妨げ、これによって、ロッド２５がブラケット３０内に安全に配置され続ける。
【００２０】
カップリングの係合解除は、腕時計を外した後に着用者が行うことができる。パワー伝送用ストラップ部７は、のど部２６が間隙と整列するまで電池ハウジング１５の方へと再び折られ、その後に、再び、溝２９が短絡を防止しつつ、ロッド２５はブラケットから滑って外れることができる。好ましくは、このような回転可能なカップリングが腕時計ケース８とパワー伝送用ストラップ部７の間に取り付けられ、同様のカップリングであるが接点がないものが他方のストラップ部６と、一方では腕時計ケース８との間に、そして他方ではクラスプ部との間に、用いられる。これによって、ストラップ部６及び７の両方を容易に交換することができる。
【００２１】
ばね作動接点３４は、パワー伝送用ストラップ部７の遠位端に埋め込まれ、ロッド２５上の丸まった接点２７とストラップ部７に搭載されたワイヤの間に導電路が確実に形成されるようにする。図６ａ及び６ｂは、ばね作動接点３４を実際に使えるようにする２つの方法を示している。図６ａは、渦巻き状のばねを用いる一実施形態を示している。図６ｂは、Ｖ字型の平ばねを用いる一実施形態を示している。これらの図のいずれも、ストラップ部７に搭載されたワイヤも、ロッド２５及びのど部２６内の導電路も示していない。
【００２２】
図４及び５に示している回転可能なカップリングは、カップリングを防水性にするためのシール材を備えることができる。このシール材は、例えば、ブラケット３０の内側（図示しているように）又はロッド２５に接するように配置することができ、これによって、ロッドがブラケット内へと完全に挿入されているときにロッド２５とブラケット３０の間で押される。
【００２３】
図４及び５に示している回転可能なカップリングは、電池を腕時計ケース及び充電器に接続するための標準的なプラグインコネクターを用いる既存の手法と比較して小型である。図３ａ及び３ｂに示している腕時計は、丸まった接点２７に直接接することによって充電することができる。図７ａに、適切な充電デバイスを示している。これは、平均的な人間の手首とほぼ同じ寸法の丸まった円筒状の本体４０と、電池ハウジング１５につながっているロッド２５上にある丸まった接点２７と同じ距離離間されている２つの充電用接点４１とを備える。図７ｂに示しているように、腕時計を充電デバイス上に置くことができる。丸まった接点２７が充電用接点４１上に置かれて、電池を充電する。
【００２４】
図３〜５の回転可能なカップリングを逆にすることができる。すなわち、ブラケット３０及びばね作動接点３４を電池ハウジング１５上に取り付け、ロッド２５及びのど部２６をパワー伝送用ストラップ部７の遠位端に取り付けることができる。
【００２５】
本発明に係る実施形態のいずれにおいても、電池ハウジングは、少なくともこのような電池を備え、さらに、充電回路、電池管理回路、電圧コンバーター、及び電池の充電状態を示すディスプレー（例、ＬＥＤ又は光バー）のうちの一又は複数の構成要素を備えることができる。電池の充電状態は、好ましくは、腕時計ケースにも伝えられ、その上でインジケートされる。このことは、パワー伝送用ストラップ部に埋め込まれた別個のワイヤ、すなわち、パワー伝送用ワイヤとは別のワイヤ、を通して状態信号を伝えることによって行うことができる。代わりに、パワー伝送用ワイヤに周波数信号を重ねて乗せることによって充電状態を伝えることができる。
【００２６】
上述の実施形態のいずれにおいても、異なる極性を有する対応するパワー伝送用ワイヤどうしが絶縁されることを前提として、皮革、プラスチック又は金属のようなこの目的のために当分野で知られている任意の材料によってストラップ部６、７を形成することができる。例えば、パワー伝送用ストラップ部７をプラスチックによって形成して、このプラスチック材料によってプラスチック射出成形を用いてパワー伝送用ワイヤをカプセル化することができる。代わりに、皮革製のストラップ部にワイヤを縫い込むこともできる。
【００２７】
図面及び上述の説明において本発明を描画し説明したが、このような描画や説明は、説明用又は例示的なものであって限定するものではないと考えるべきである。本発明の実施に関連する当業者であれば、図面、開示内容及び添付の請求の範囲を検討することによって、開示している実施形態とは別の代替実施形態についても理解して実施することができるであろう。請求の範囲において、用語「備える」は、他の要素又はステップがあることを排除するものではなく、単数形であっても複数あることを排除するものではない。単に特定のいくつかの特徴が互いに異なる従属請求項に記載されていることだけでは、これらの特徴の組み合わせを有利に利用できないということを意味しない。請求の範囲における参照符号は、本発明の範囲を限定するものと解釈されるべきではない。
【符号の説明】
【００２８】
１、２、２０、２１  クラスプ部
４、５、９  回転可能なカップリング
６  第１のストラップ部
７  パワー伝送用ストラップ部
８  腕時計ケース
１５  電池ハウジング
１６  第１のパワー伝送カップリング
１７  第２のパワー伝送カップリング
２５  ロッド
２６  のど部
２７  丸まった接点
２９  細長材又は溝
３０  ブラケット
３１  閉じた端
３２  開いた端
３３  空欠部
３４  ばね作動接点
３５  ブロック用ローブ
３６  入口通路
２３、２４  固定機構
【図１ａ】
2020153970.tif 000003
【図１ｂ】
2020153970.tif 000004
【図２ａ】
2020153970.tif 000005
【図２ｂ】
2020153970.tif 000006
【図３ａ】
2020153970.tif 000007
【図３ｂ】
2020153970.tif 000008
【図４ａ】
2020153970.tif 000009
【図４ｂ】
2020153970.tif 000010
【図４ｃ】
2020153970.tif 000011
【図５ａ】
2020153970.tif 000012
【図５ｂ】
2020153970.tif 000013
【図６ａ】
2020153970.tif 000014
【図６ｂ】
2020153970.tif 000015
【図７ａ】
2020153970.tif 000016
【図７ｂ】
2020153970.tif 000017
【外国語明細書】
2020153970000001.pdf